(57)【特許請求の範囲】
【請求項１】
外形をなすケーシング（１８）を縦長の直方体形状に形成するとともに、加入者側光ケーブル（１６ａ）を接続するためのアダプタ（２４）を縦方向に並べて配置し、かつ、分配用光カプラモジュール内からの局側光ケーブル心線の取り出し位置と対応する局側光ケーブル心線の光伝送装置との接続位置とが対向するように分配用光カプラモジュール（１０）を複数個並べて載置するために、前記光伝送装置（１２）の前面に受け台状に伸長して取り付けられるカプラモジュール収容架（２６）であって、
該カプラモジュール収容架は、載置した前記分配用光カプラモジュールの横方向へのスライドを可能とし、かつ、分配用光カプラモジュールをカプラモジュール収容架上の所望の位置に固定するスライド機構を備えた、ことを特徴とするカプラモジュール収容架。
【請求項２】
外形をなすケーシング（１８）を縦長の直方体形状に形成するとともに、加入者側光ケーブル（１６ａ）を接続するためのアダプタ（２４）を縦方向に並べて配置し、かつ、分配用光カプラモジュール内からの局側光ケーブル心線の取り出し位置と対応する局側光ケーブル心線の光伝送装置との接続位置とが対向するように分配用光カプラモジュール（１０）を複数個並べて載置するために、前記光伝送装置（１２）の前面に受け台状に伸長して取り付けられるカプラモジュール収容架（２６）であって、
該カプラモジュール収容架は、前記分配用光カプラモジュールを載置する収容架母体（２６ａ）と、該収容架母体の先端部に蝶番により手前側に転倒自在に連結された転倒体（２６ｃ）とからなり、
前記分配用光カプラモジュールが前記転倒体に取り付けられる、ことを特徴とするカプラモジュール収容架。
【請求項３】
前記転倒体（２６ｃ）の転倒を制御するための保持機構を設けた、ことを特徴とする請求項２に記載のカプラモジュール収容架。
【請求項４】
前記カプラモジュール収容架（２６）は、前記光伝送装置（１２）に固定される収容架母体（２６ａ）と、前記分配用光カプラモジュールを複数個載置するための収容架本体（２６ｂ）とを有し、
該収容架本体は、前記収容架母体に対して摺動して引き出しが可能である、ことを特徴
とする請求項１、２又は３に記載のカプラモジュール収容架。
【発明の詳細な説明】
【技術分野】
【０００１】
本発明は、光ファイバ通信ネットワークの構築に利用される分配用光カプラモジュールのカプラモジュール収容架に関するものである。
【背景技術】
【０００２】
ＦＴＴＨ（Fiber To The Home）サービスは、光ファイバを使って高速なインターネッ
ト接続を実現するサービスである。
ここで１本の光ファイバを１人のユーザーが使用すると、その導入コストが銅線（電話線）と比べて非常に高くなってしまうため、１本の光ファイバを複数のユーザーで共有するＰＯＮ（Passive Optical Network）が広く利用されている。ＰＯＮとは、伝送路を２
〜３２本に分岐させるスター型ネットワークのことであり、ＰＯＮには、1つの光信号を
２つ以上の出力に分岐し、また、２つ以上の光入力信号を１つの出力に結合する光カプラが用いられる。光カプラは電源が不要であり、しかもメンテナンスフリーであるため、伝送路の複数個所に光カプラを設置することにより、柔軟なネットワークを設計することができる。
【０００３】
また近年では、ＧＥ−ＰＯＮ（Gigabit Ethernet-Passive Optical Network）と呼ばれる、ギガビットのＦＴＴＨサービスを実現する技術が開発されている。ＧＥ−ＰＯＮは、ＰＯＮ技術にギガビットイーサネット技術（登録商標）を取り込み、１Ｇｂｐｓという超高速で光ファイバ通信を実現する技術である。
【０００４】
図７にＧＥ−ＰＯＮシステムの具体例を示した。このＧＥ−ＰＯＮシステム（１００）は電柱上やマンション内等に設置される光カプラ（１２２）のほか、センター局（１０１）等に設置され、通信網（１０５）に接続された光伝送装置（１２）であるＯＬＴ（Optical Line Terminal）および光カプラを内包する分配用光カプラモジュール（１１０）と
、加入者宅（１０３）に設置されるＯＮＵ（Optical Network Unit）（１０７）等から構成されている。両者の間は下り（センターから加入者方向）に１４９０ｎｍ、上り（加入者からセンター方向）に１３１０ｎｍの波長を割り当てたＷＤＭ（Wavelength Division Multiplexing：波長多重）方式を使って、１本を複数の光ファイバのように扱いながら通信を行う。
なお伝送装置側の１本の光ファイバとユーザーの端末側の複数の伝送路との間に光カプラを介在させ、この光カプラによって伝送装置側の光ファイバ（局側光ケーブル心線）を分岐して複数のユーザーで共用できるようにした方式は、ＰＤＳ（Passive Double Star
）方式と呼ばれる。
【０００５】
図８にセンター局等に設置されるＧＥ−ＰＯＮの光伝送装置を示した。この光伝送装置（１２）は、装置の外形を形成する筐体（１１５）に、装置に電力を供給するための電源盤（１０９）や、図示しない局側光ケーブル心線を接続するため回線インターフェースであるＰＩＦ盤（１１１）を、筐体前面の開口から挿入して取り付けることができるユニット構造を有している。
回線（局側光ケーブル心線およびその分岐）を増やすためのＰＩＦ盤（１１１）の増設は、前面の開口を蓋するＰＩＦブランク（１１３）を取り外し、現れた開口にＰＩＦ盤を挿入することで行われる。
ここで一般に電源盤（１０９）やＰＩＦ盤（１１１）が取り付けられる筐体（１１５）は、その設置上の便宜から、図に示したように、横長の直方体の箱型形状をしている。電源盤（１０９）は筐体前面の上段部に水平方向を長手方向として並列に二つ横並びで配置される一方、ＰＩＦ盤（１１１）は筐体前面の下段部に縦方向を長手方向として並列に複数個（図では１６個まで可能）、横並びで配置されるようになっている。
【０００６】
各ＰＩＦ盤（１１１）の前面には、局側光ケーブル心線を接続するためのアダプタ（通称：ＳＣアダプタ（１１９））が備えられている。このＳＣアダプタ（１１９）には、次に説明する分配用光カプラモジュール（１１０）から延出し又は接続される局側光ケーブル心線末端のコネクタ（通称：ＳＣコネクタ）が接続される。
【０００７】
図９および図１０は、分配用光カプラモジュールの内部構造を示した概略図である。ここで図９は分配用光カプラモジュールの斜視図であり、図１０はその平面図である。なおこれらの図ではカプラモジュールの上蓋を外した状態を表している。
【０００８】
分配用光カプラモジュール（１１０）は、1本の局側光ケーブル心線（１１４）を複数
の加入者側光ケーブル心線（１１６）に分岐するための装置であり、プラスティック製の扁平横長の箱型のケーシング（１１８）の中に、局側光ケーブル心線（１１４）と、この局側光ケーブル心線を分岐するための光カプラ（１２２）（スプリッタ）と、光カプラから分岐した複数（例えば８本）の加入者側光ケーブル心線（１１６）と、加入者側光ケーブル心線の末端に備えられた複数（例えば８個）のアダプタ（通称：ＳＣ−ＳＣアダプタ（２４））とから構成されている。
【０００９】
分配用光カプラモジュール（１１０）の前面には、図９等に示したように、分配用光カプラモジュールに光信号を伝送する局側光ケーブル心線（１１４）を接続するためのアダプタが設けられている。また、局側光ケーブル心線を光カプラ（１２２）で分岐した複数の加入者側光ケーブル心線（１１６）は、ケーシング（１１８）内に巻回して収容され、その末端のＳＣ−ＳＣアダプタ（２４）がケーシングの前面に横位置に並べて取り付けられている。
【００１０】
上述した分配用光カプラモジュール（１１０）は、受け台状のカプラモジュール収容架（１２６）上に平置き状態で必要な段数だけ積み重ねられ、光伝送装置（１２）の上段または下段のラック１２５内に収容される（図１１参照）。このように分配用光カプラモジュール（１１０）を、必要な個数だけカプラモジュール収容架（１２６）上に積み重ねることで、必要とされるＳＣ−ＳＣアダプタ（２４）の数を確保するようになっている。
光伝送装置のラックへの固定は、光伝送装置の筐体の前面左右に設けられたフランジ状のフランジ部１２７に形成された開孔と、ラックの縦枠に形成された開孔を位置合わせし、ここにネジをねじ込むことによって行われる。なお光伝送装置は、１つのラックに複数個収容されるのが一般的である。
【特許文献１】特開平９−３３７３３号公報
【発明の開示】
【発明が解決しようとする課題】
【００１１】
上述した従来の分配用光カプラモジュールは、複数のアダプタが横方向に並んだ扁平横長形状をしており、局側光ケーブル心線が各分配用光カプラモジュールから延出して錯綜し、ＰＩＦ盤に接続されている。そのため、例えばＰＩＦ盤には異常はないが光信号が通らない場合や、ＰＩＦ盤に不具合があり交換した正常なＰＩＦ盤に局側光ケーブル心線を
差し替えてやる場合などに、これにつながれた分配用光カプラモジュールを、局側光ケーブル心線を辿ることで探し当てる作業は煩雑であるとともに、局側光ケーブル心線を辿る作業工程でケーブルの取り違いを起こしやすく、分配用光カプラモジュールの特定を誤認することもあった。
【００１２】
また上述のように分配用光カプラモジュールを載置したカプラモジュール収容架は、ラックの収容棚に収容されるが、ラックの収容棚の段数には限りがあるため、1つのラック
に収容することができる光伝送装置の数、しいては分配用光カプラモジュールのＳＣ−ＳＣアダプタの数をある一定個数以上増やしてやることはできなかった。
【００１３】
本発明は上記問題を解決するために創案されたものであり、複数のＳＣ−ＳＣアダプタとこれがつながれたＰＩＦ盤との対応関係を明確化し、また、その取り扱いを容易化してメンテナンス性を向上し、さらに１つのラックに収容することができる光伝送装置の数を増やすことで、必要とされる分配用光カプラモジュールのＳＣ−ＳＣアダプタの数を増やして、１つのラックで対応することができる回線数を倍増することができる分配用光カプラモジュールのカプラモジュール収容架を提供することを目的とする。
【課題を解決するための手段】
【００１４】
上記問題を解決するために本発明は、外形をなすケーシング（１８）を縦長の直方体形状に形成するとともに、加入者側光ケーブル（１６ａ）を接続するためのアダプタ（２４）を縦方向に並べて配置し、かつ、分配用光カプラモジュール内からの局側光ケーブル心線の取り出し位置と対応する局側光ケーブル心線の光伝送装置との接続位置とが対向するように分配用光カプラモジュール（１０）を複数個並べて載置するために、前記光伝送装置（１２）の前面に受け台状に伸長して取り付けられるカプラモジュール収容架（２６）であって、該カプラモジュール収容架は、載置した前記分配用光カプラモジュールの横方向へのスライドを可能とし、かつ、分配用光カプラモジュールをカプラモジュール収容架上の所望の位置に固定するスライド機構を備えた、ことを特徴とするカプラモジュール収容架を提供する。
【００１５】
また本発明は、外形をなすケーシング（１８）を縦長の直方体形状に形成するとともに、加入者側光ケーブル（１６ａ）を接続するためのアダプタ（２４）を縦方向に並べて配置し、かつ、分配用光カプラモジュール内からの局側光ケーブル心線の取り出し位置と対応する局側光ケーブル心線の光伝送装置との接続位置とが対向するように分配用光カプラモジュール（１０）を複数個並べて載置するために、前記光伝送装置（１２）の前面に受け台状に伸長して取り付けられるカプラモジュール収容架（２６）であって、該カプラモジュール収容架は、前記分配用光カプラモジュールを載置する収容架母体（２６ａ）と、該収容架母体の先端部に蝶番により手前側に転倒自在に連結された転倒体（２６ｃ）とからなり、前記分配用光カプラモジュールが前記転倒体に取り付けられる、ことを特徴とするカプラモジュール収容架を提供する。
【００１６】
ここでカプラモジュール収容架に、前記転倒体（２６ｃ）の転倒を制御するための保持機構を設ける、ことも好ましい。
【００１７】
また、前記カプラモジュール収容架（２６）は、前記光伝送装置（１２）に固定される収容架母体（２６ａ）と、前記分配用光カプラモジュールを複数個載置するための収容架本体（２６ｂ）とを有し、該収容架本体は、前記収容架母体に対して摺動して引き出しが可能である、ものとすることも好ましい。
【発明の効果】
【００１８】
請求項１に記載の光カプラモジュール収容架によれば、そのスライド機構により、載置
した前記分配用光カプラモジュールを横方向にスライドさせて、カプラモジュール収容架上の所望の位置に固定できるため、分配用光カプラモジュールを光カプラモジュール収容架に載置後に、これに対応する光伝送装置のＰＩＦ盤との接続位置とを容易に対向させることができる。
【００１９】
また請求項２に記載のカプラモジュール収容架によれば、収容架母体の先端部に蝶番により転倒自在に連結された転倒体に光カプラモジュールを取り付け、光カプラモジュールを取り付けた転倒体を手前側に転倒させることで、光カプラモジュールの背面を上側を向かせることができる。これにより、分配用光カプラモジュールから延出する局側光ケーブル心線先端のＳＣコネクタのＰＩＦ盤のＳＣアダプタへの接続・取り外しや、分配用光カプラモジュールのＳＣ−ＳＣアダプタへの加入者側光ケーブルのＳＣ−ＳＣコネクタの接続・取り外し等を容易に行うことができるようになる。
なお本請求項のカプラモジュール収容架を使用する場合には、底面に開口部が形成された分配用光カプラモジュールを使用することが好ましいが、局側光ケーブル心線の長さに余裕を持たせることで、底部に開口部が形成されていない分配用光カプラモジュールを使用することも可能となる。
【００２０】
ここで請求項３に記載の発明のように、保持機構を設けることで、通常時における分配用光カプラモジュールの転倒を防止して、分配用光カプラモジュールをカプラモジュール収容架に固定してやることができるとともに、転倒時にも必要以上に分配用光カプラモジュールが転倒することを防止してやることができる。
【００２１】
また請求項４に記載のカプラモジュール収容架によれば、分配用光カプラモジュールを複数個載置する収容架本体を収容架母体に対して摺動させて引き出すことで、光伝送装置と分配用光カプラモジュールとの間に広い空間を形成することができるため、保守・点検時等において、その作業性を向上させることができる。
【発明を実施するための最良の形態】
【００２２】
以下、図面を用いて本発明に用いられる分配用光カプラモジュールおよび本発明のカプラモジュール収容架の好適な実施例について詳細に説明する。
【実施例１】
【００２３】
図１は光伝送装置に本発明のカプラモジュール収容架を取り付け、これに本発明に用いられる分配用光カプラモジュールを載置して固定した状態を示した斜視図であり、図２は図１のＸ−Ｘ断面図である。なお各図においてその理解を容易化するため、光伝送装置や分配用光カプラモジュールは、その構造を簡略化して示してある。
【００２４】
図に簡略化して示した光伝送装置１２（ＯＬＴ）は、背景技術において既に説明したものと同様のものであり、装置の外形を形成する箱型の筐体１１５に、装置に電力を供給するための電源盤１０９や、局側光ケーブル心線１４を接続するため回線インターフェースであるＰＩＦ盤１１１を、筐体前面の開口から挿入して取り付けることができるユニット構造を有している。電源盤１０９は筐体１１５前面開口の上段部に水平方向を長手方向として並列に二つ横並びで配置される一方、ＰＩＦ盤１１１は筐体１１５前面開口の下段部に縦方向を長手方向として並列に複数個を横並びで配置されるようになっている。
この光伝送装置１２は、金属製の箱型枠体であるラックの収容棚に収容されるが、その固定は、光伝送装置の筐体の前面左右に設けられたフランジ状のフランジ部１２７に形成された開孔と、ラックの縦枠に形成された開孔を位置合わせし、ここにネジをねじ込むことによって行われる。
【００２５】
一方図２に示した分配用光カプラモジュール１０は、光伝送装置１２に接続される局側
光ケーブル心線１４を、複数の加入者側光ケーブル心線１６に分岐するためのものであり、その外形を構成するケーシング１８は、その横幅がＰＩＦ盤１１１の横幅と同程度であり、高さが光伝送装置１２の高さと同程度となるような縦長の外形形状を有している。各分配用光カプラモジュール１０は、各ＰＦＩ盤の前面側に一定の距離を空けて対向して配置される。またケーシング１８の前面下方には、後述する光カプラモジュール収容架２６に固定するためのネジ穴３１が形成されている。
【００２６】
ケーシング１８内には、局側光ケーブル心線１４の一部と、局側光ケーブル心線を複数（図では８本）の加入者側光ケーブル心線１６に分岐する光カプラ２２と、各加入者側光ケーブル心線の末端に加入者側光ケーブル１６ａを接続するための複数のアダプタ（ＳＣ−ＳＣアダプタ２４）が収容されている。ここで複数のＳＣ−ＳＣアダプタ２４は、ケーシング１８の光伝送装置１２と対向する面（背面）に、縦方向に並んで配置されている。また局側光ケーブル心線１４は、ケーシング１８の背面下方位置から外部に延出し、その先端には光伝送装置１２に取り付けたＰＩＦ盤１１１のＳＣアダプタ１１９に接続するためのＳＣコネクタ１２１が設けられている。
【００２７】
ケーシング１８の底面に導入された局側光ケーブル心線１４は、ケーシング前面の裏面上部に接着固定された分配用光カプラ２２（スプリッタ）に緩やかに湾曲して接続されている。分配用光カプラ２２は、局側光ケーブル心線１４を複数の加入者側光ケーブル心線１６に分岐する。分配用光カプラ２２から分岐した各加入者側光ケーブル心線１６は、ケーシング１８内で一周程度巻回し、その先端に設けられた各ＳＣ−ＳＣアダプタ２４は、上述のようにケーシング１８の背面に縦位置に並ぶようにして取り付けられている。なおＳＣ−ＳＣアダプタ２４には加入者側光ケーブル１６ａの末端のＳＣ−ＳＣコネクタ１２３が接続され、加入者側光ケーブル１６ａは分配用光カプラモジュール１０と光伝送装置１２との間の空間を通り、下方に導かれた後に、外部へと導出される。なお図２では図面を簡略化するために、最上部にある１つのＳＣ−ＳＣアダプタ２４のみにＳＣ−ＳＣコネクタ１２３が接続され、ここから加入者側光ケーブル１６ａが伸びた状態を示している。
【００２８】
このような分配用光カプラモジュール１０は、後述する光カプラモジュール収容架２６の上に複数個載置されて光伝送装置１２の前面側に一定の距離を空けて配置される。
【００２９】
本実施例の分配用光カプラモジュール１０によれば、ケーシング１８を縦長の直方体形状に形成するとともに、アダプタを縦方向に並べて配置し、かつ、分配用光カプラモジュール１０内からの局側光ケーブル心線１４の取り出し位置と局側光ケーブル心線１４の光伝送装置１２との接続位置とを対向させることで、分配用光カプラモジュール１０と、これが接続された光伝送装置１２のＰＩＦ盤１１１との対応関係が明確化される。
また、後述する光カプラモジュール収容架２６を用い、ケーシング１８の光伝送装置１２と対向する面にアダプタ２４を縦方向に並べて配置することで、光伝送装置のＰＩＦ盤と分配用カプラモジュールとの接続距離を短くすることができるため、局側光ケーブル心線の取り廻しを簡素化することができる。
【００３０】
さらに分配用光カプラモジュールを光伝送装置の前面側に配置することで、これまで分配用光カプラモジュールを収容していたラックの収容棚を空け、ラックに収容することができる光伝送装置の数を増やすことができる。これにより必要とされる分配用光カプラモジュールのＳＣ−ＳＣアダプタの数を増やし、１つのラックで対応することができる回線数を増やすことができる。
【００３１】
次に本実施例の分配用光カプラモジュール１０を載置して光伝送装置１２に固定するための光カプラモジュール収容架について説明する。図３は本実施例に用いられる光カプラモジュール収容架の分解斜視図である。
【００３２】
本実施例の光カプラモジュール収容架２６は、縦長の分配用光カプラモジュール１０をその上に載置・固定するためのもので、光伝送装置１２の前面に受け台状に伸長して取り付けられる。光カプラモジュール収容架２６は金属板を折り曲げることで製作され、光伝送装置１２に固定される収容架母体２６ａと、複数の分配用光カプラモジュール１０を載置し、かつ、収容架母体２６ａに対して引き出しのごとく摺動する収容架本体２６ｂとから構成されている。
【００３３】
収容架母体２６ａは受け台を構成する上側を開口する略コの字型形状をしており、その末端にはフランジ状の脚部３３が形成されている。収容架母体２６ａは、この脚部３３に開口した開孔にネジを差し入れて、これを位置合わせをした光伝送装置１２のフランジ部１２７の開孔およびラックの開孔に螺合することで、光伝送装置１２とともにラックにしっかりと取り付けられる（図1参照）。
また収容架母体２６ａ底面の左右には、次に説明する収容架本体２６ｂをスライドさせて引き出すために、前後方向に平行する縦長穴３５が開口形成されている。さらに収容架母体２６ａの左右に立設する側壁面には、分配用光カプラモジュール１０のＳＣ−ＳＣアダプタ２４に接続した加入者側光ケーブル１６ａを通して下側方向に取り出すための開口３７が形成されている。
【００３４】
一方収容架本体２６ｂは、収容架母体２６ａの底面の上面に接する収容架本体２６ｂ底面と、この面の前方において立設する前壁面から形成されており、収容架本体２６ｂ底面には収容架母体２６ａの各縦長穴に対応する位置にボルトを通すためのボルト穴３９が各２箇所形成されている。
また収容架本体２６ｂの前壁面には、前述した分配用光カプラモジュール１０のケーシング１８前面下方のネジ穴３１に対応する高さに、水平方向に細長い横長穴４１が開口形成されている。
【００３５】
収容架本体２６ｂは、光伝送装置１２に取り付けられた収容架母体２６ａの上に重なるように置かれ、左右各２箇所のボルト穴３９に挿入したボルトを、収容架母体２６ａの縦長穴３５に通し、これを下側からナットで固定することで収容架母体２６ａに固定される。また各ナットを若干緩め、収容架本体２６ｂを引っ張ることで、収容架本体２６ｂを収容架母体２６ａに対して摺動させて引き出すことができる。これにより、必要に応じて光伝送装置１２と分配用光カプラモジュール１０との間の空間を広げることができ、保守・点検時等において、その作業性を向上させることができる。なおこの場合、ケーシング１８から光伝送装置１２に伸びる局側光ケーブル心線１４には、予め収容架本体２６ｂの引き出しを許容するためのゆとりを持たせておく必要がある。
【００３６】
収容架本体２６ｂの前壁面には横長穴４１が形成されており、これと分配用光カプラモジュール１０のケーシング１８前面下方のネジ穴３１およびこのネジ穴に螺合するネジは、スライド機構を構成する。このスライド機構は、前方から横長穴４１に通したネジを、収容架本体２６ｂに載置した分配用光カプラモジュール１０のネジ穴３１に螺合することで、分配用光カプラモジュール１０を収容架本体２６ｂに固定する一方、このネジを若干緩めることで分配用光カプラモジュール１０の収容架本体２６ｂ上での横方向へのスライド移動を許容する。
このスライド機構により分配用光カプラモジュール１０は、光カプラモジュール収容架２６に載置後に、局側光ケーブル心線１４の光伝送装置１２との接続位置とが対向するように容易に位置合わせをすることができる。
【実施例２】
【００３７】
図４は実施例２に用いられる分配用光カプラモジュールを底面側から見た斜視図、図５
は実施例２に用いられる光カプラモジュール収容架の斜視図、図６は光カプラモジュール収容架上に載置した分配用光カプラモジュールを転倒させた状態を示した断面図である。
なお本実施例において実施例１と同様の構成については、実施例１で用いた符号と同様の符号を付し、重複する説明を省略する。
【００３８】
図４に示したように本実施例の分配用光カプラモジュール１０は、実施例１の分配用光カプラモジュールとほぼ同様の構成を有しているが、ケーシング１８の底面には、外部に取り出した局側光ケーブル心線１４の通行を許容する開口部２８が形成されている。
【００３９】
一方図５に示した光カプラモジュール収容架２６は、分配用光カプラモジュール１０を載置する収容架母体２６ａと、収容架母体２６ａの先端部に蝶番４３により転倒自在に連結された転倒体２６ｃとからなる。この蝶番および転倒体２６ｃは転倒機構を構成する。
収容架母体２６ａは光伝送装置１２の前面に受け台状に伸長して取り付けられる上側を開口する略コの字型形状をした板材であり、その末端にはフランジ状の脚部３３が形成されていることは実施例１の収容架母体と同様である。また、収容架母体２６ａの底面の左右に立設する側壁面の前方側には、次に説明する転倒体２６ｃの転倒を防止するための転倒防止穴４５が形成されている。
転倒体２６ｃは収容架母体２６ａの先端に蝶番４３を介して接続され、また、その左右両端には直角に折り曲げられた屈曲部４７を有している。この屈曲部には収容母体の左右の側壁面の転倒防止穴４５に螺合したネジを貫通させる１／３円弧状の円弧長穴４９が形成されている。また転倒体２６ｃには、実施例1と同様に、分配用光カプラモジュール１
０のケーシング１８前面下方のネジ穴に対応する高さに、水平方向に細長い横長穴４１が開口形成されている。
【００４０】
上記の分配用光カプラモジュール１０は、転倒体２６ｃを収容架母体２６ａに対して立設させた状態で、分配用光カプラモジュール１０のケーシング１８前面下方のネジ穴３１に、転倒体２６ｃの横長穴４１を通してネジを螺合することで、光カプラモジュール収容架２６に固定される。このとき、収容架母体２６ａの左右側壁面の転倒防止穴４５と転倒体２６ｃの屈曲部４７に形成された円弧長穴４９にはボルト／ナットが貫通して両者を固定し、転倒体２６ｃの転倒を防止している。
一方、保守点検時等には転倒防止穴と円弧長穴を貫通するボルト／ナットを若干緩めることで、転倒体２６ｃの前面側への転倒、すなわち転倒体２６ｃに固定した分配用光カプラモジュール１０の前面側への転倒が可能となる。このとき、分配用光カプラモジュール１０のケーシング１８背面の最下部から外部に延出して光伝送装置１２のＰＩＦ盤１１１に接続される局側光ケーブル心線１４は、図６に示したように、ケーシング１８の底面に形成された開口部２８を通行するため、分配用光カプラモジュール１０の転倒によって局側光ケーブル心線１４が大きく屈曲することなく、逆にケーシング１８内での屈曲が解消されることとなる。
なお転倒体２６ｃの屈曲部の円弧長穴４９は、転倒体２６ｃが収容架母体２６ａの底面と面一となる角度までのみ、転倒体２６ｃの転倒を許容するようになっている（保持機構）。
【００４１】
本実施例によれば、必要に応じて分配用光カプラモジュールを取り付けた転倒体を前面側に転倒させることができる。そのため保守・点検時等において、分配用光カプラモジュールの背面を簡易に上向きにすることができ、また、光伝送装置と分配用光カプラモジュールとの間の空間も広くすることができるため、その作業性も向上することとなる。
【００４２】
また本実施例においても、実施例1と同様に光カプラモジュール収容架を、収容架母体
、収容架本体および転倒体等から構成し、収容架本体を収容架母体に対して摺動して引き出し可能とすることも勿論可能である。
【００４３】
なお分配用光カプラモジュールおよびカプラモジュール収容架の構造は上記実施例に限定されるものではなく、発明の趣旨を逸脱しない範囲で適宜変更することができるのは勿論である。
【図面の簡単な説明】
【００４４】
【図１】分配用光カプラモジュールを、光伝送装置の前面に取り付けた受け台状のカプラモジュール収容架上に載置した状態を示した図である。
【図２】図１のＸ−Ｘ断面図である。
【図３】実施例１に用いられる光カプラモジュール収容架の分解斜視図である。
【図４】実施例２の分配用光カプラモジュールを底面側から見た斜視図である。
【図５】実施例２に用いられる光カプラモジュール収容架の斜視図である。
【図６】光カプラモジュール収容架上に載置した分配用光カプラモジュールを転倒させた状態を示した断面図である。
【図７】ＧＥ−ＰＯＮシステムの具体例を示した図である。
【図８】ＧＥ−ＰＯＮの光伝送装置を示した図である。
【図９】分配用光カプラモジュールの内部構造を示した概略斜視図である。
【図１０】分配用光カプラモジュールの内部構造を示した概略平面図である。
【図１１】従来の分配用光カプラモジュールと光伝送装置との配置関係を示した図である。
【符号の説明】
【００４５】
１０，１１０ 分配用光カプラモジュール
１２ 光伝送装置
１４，１１４ 局側光ケーブル心線
１６，１１６ 加入者側光ケーブル心線
１６ａ 加入者側光ケーブル
１８，１１８ ケーシング
２２，１２２ 光カプラ
２４ アダプタ（ＳＣ−ＳＣアダプタ）
２８ 開口部
２６，１２６ カプラモジュール収容架
２６ａ 収容架母体
２６ｂ 収容架本体
２６ｃ 転倒体
３１ ネジ穴
３３ 脚部
３５ 縦長穴
３７ 開口
３９ ボルト穴
４１ 横長穴
４３ 蝶番
４５ 転倒防止穴
４７ 屈曲部
４９ 円弧長穴
１００ ＧＥ−ＰＯＮシステム
１０１ センター局
１０３ 加入者宅
１０５ 通信網
１０７ ＯＮＵ
１０９ 電源盤
１１１ ＰＩＦ盤
１１５ 筐体
１１９ ＳＣアダプタ（アダプタ）
１２１ ＳＣコネクタ
１２３ ＳＣ−ＳＣコネクタ
１２５ ラック
１２７ フランジ部
【図１】
0004627703.tif 000002
【図２】
0004627703.tif 000003
【図３】
0004627703.tif 000004
【図４】
0004627703.tif 000005
【図５】
0004627703.tif 000006
【図６】
0004627703.tif 000007
【図７】
0004627703.tif 000008
【図８】
0004627703.tif 000009
【図９】
0004627703.tif 000010
【図１０】
0004627703.tif 000011
【図１１】
0004627703.tif 000012